(57)【要約】【課題】床面を地面とほぼ同一としてバリアフリー化を実現しつつ、これに伴う雨水の侵入や通気性の問題も解消し安全性と居住性を維持した居住建物を実現する。【解決手段】建物出入口構造は、出入口を介して出入り可能な建物の出入口構造であって、床材７を支持する基礎１でもって、床材７の上面である床面の下方に床下空間８を形成すると共に、床面を建物屋外の地面と略同一平面とし、かつ建物の周囲に側溝１５が形成され、前記側溝１５と床下空間８とが連通されている。この構成によって、建物の外部と内部が同一平面であるため、段差がなく身障者や高齢者であっても出入りが容易となる。また地面に埋設された床下空間８を側溝１５を連通させることで通気性を確保し、湿度の抑えて快適な住空間も提供される。【選択図】図５
2006169899.tif 000002
【特許請求の範囲】
【請求項１】
出入口を介して出入り可能な建物の出入口構造であって、
床材を支持する基礎でもって、床材の下方に床下空間を形成すると共に、
床材の上面である床面を建物屋外の地面と略同一平面とし、
かつ建物の周囲に側溝が形成され、前記側溝と床下空間とが連通されてなることを特徴とする建物出入口構造。
【請求項２】
請求項１に記載の建物出入口構造であって、
玄関の土間と地面とが略同一平面に形成されてなり、
屋内外の境界部分から屋内側に、出入口の下端に沿って溝が形成されていることを特徴とする建物出入口構造。
【請求項３】
請求項１または２に記載の建物出入口構造であって、
建物出入口構造の基礎となるコンクリート製基礎が、上方を開口した断面コ字状部分を有しており、該コ字状を構成する一方の立ち上がり部を出入口の外壁を支持する出入口側側壁、他方の立ち上がり部を屋内側で構造材を支持する屋内側側壁とし、
屋内側側壁の天端面は、構造材を載置した状態で床面が地面と略同一平面を有しており、
出入口側側壁の天端面は、出入口の底面と面する部分を屋内側側壁の天端面と略等しい高さとし、他の部分は屋内側側壁の天端面よりも高く形成してなることを特徴とする建物出入口構造。
【請求項４】
請求項３に記載の建物出入口構造であって、
前記基礎の屋内側側壁の天端面は、構造材を支持した状態で天端面が略面一となるよう、該天端面と屋内側側壁の外側面との交差部分に段差部を形成し、段差部にて構造材を支持した状態で天端面及び外側面が略同一面となるよう構成してなることを特徴とする建物出入口構造。
【請求項５】
請求項１から４のいずれかに記載の建物出入口構造であって、
デッキ部分の屋内床面と屋外地面とが略同一平面に形成されており、
前記側溝が屋外側に形成され、少なくともデッキ部分に設けられる出入口の下端に、前記側溝の開口部分を閉塞して屋内床面と屋外地面とを同一平面に橋渡しする天板を形成してなることを特徴とする建物出入口構造。
【請求項６】
請求項５に記載の建物出入口構造であって、
前記天板は、建物に面する側の下面から前記側溝の底面に支持体を延長しており、前記天板の端縁と建物との間に隙間を形成してなることを特徴とする建物出入口構造。
【発明の詳細な説明】
【技術分野】
【０００１】
本発明は、玄関や勝手口など、建物の出入口構造に関する。
【背景技術】
【０００２】
住宅等の木造建築物は、木造軸組工法によって構築されることが多い。この工法では、まずコンクリート基礎を形成した後、コンクリート基礎に土台を敷き、土台に柱を接合し、屋根を葺き、壁と床を設けている。このような従来の建築工法では、床下に通気口を設けると共に床上浸水を防止する等の観点から、図１に示すように居住建物の床面を屋外地盤面（地面）よりも高く施工し、地面と床面との間に段差を設ける施工が一般的である。建築基準法においても、直下の地面からその床の上面まで４５ｃｍ以上とする旨の規定がなされている。また玄関口においても、靴を脱ぐ習慣上段差が必要とされてきた。
【０００３】
しかしながら、このような段差があると、高齢者や身体障害者などにとっては障壁となるため、建物の出入りが困難になるという問題があった。例えば杖や車いすを使用する者にとっては、階段や段差を乗り越える作業は一苦労である。特に近年の高齢化社会への関心、障害者にも優しいユニバーサルデザインの志向といった背景から、いわゆるバリアフリー化が求められており、このような障壁を排除することが求められる。
【０００４】
このような観点から、特許文献１に示すような建物出入口ステップ構造が開発されている。この構造は、図２〜図４に示すように建物の勝手口出入口と地面との間に段差が設けられている建物出入口ステップ構造において、出入口の段面３０床面と同じ高さを有し且つ床面に連続させられたステップ面を設けたステップ台３１が、出入口に隣接して地面上に配設されている。ステップ台に対する上り下り手段として、図２に示すスロープ台３２や図３に示す補助ステップ台３３、図４に示したような昇降装置（リフト）３４等が設けられている。これによって高齢者や身障者等であっても建物の出入口から建物内へ出入りする際に、つまづいたりする虞のない建物出入口ステップ構造としている。しかしながら、この構造でも依然としてスロープを上がる、あるいは補助ステップを上る等の動作が必要であり、屋外から屋内に入る際により高い位置に上らねばならないという運動自体は解消されていない。
【０００５】
一方で、段差をなくすために床面を地面と面一に施工すると、外壁の一部や芯材、土台などの構造材が地面にめり込むような状態となる。このことは、外壁の一部が地面に埋没することを意味し、この状態では経年により外壁が腐食、劣化して強度が低下し、安全性が問題となる。また、床面が低くなることで雨水の浸水が生じやすくなるという問題もある。さらに床下の空間が確保できなくなるため、通気性も悪くなり、湿度が高くなって快適な住環境が提供されない。このような諸問題のため、従来床面と地面がほぼ同一平面とされた建物は実用化されていなかった。
【特許文献１】特開２０００−１６０７９４号公報
【発明の開示】
【発明が解決しようとする課題】
【０００６】
本発明は、このような問題点を解決するためになされたものである。本発明の主な目的は、床面を地面とほぼ同一としてバリアフリー化を実現しつつ、これに伴う雨水の侵入や通気性の問題も解消し安全性と居住性を維持した建物出入口構造を提供することにある。
【課題を解決するための手段】
【０００７】
上記の目的を達成するために、本発明の第１の建物出入口構造は、出入口を介して出入り可能な建物の出入口構造であって、床材を支持する基礎でもって、床材の上面である床面の下方に床下空間を形成すると共に、床面を建物屋外の地面と略同一平面とし、かつ建物の周囲に側溝が形成され、前記側溝と床下空間とが連通されている。この構成によって、建物の外部と内部が同一平面であるため、段差がなく身障者や高齢者であっても出入りが容易となる。また地面に埋設された床下空間を側溝を連通させることで通気性を確保し、湿度の抑えて快適な住空間も提供される。
【０００８】
また、本発明の第２の建物出入口構造は、玄関の土間と地面とが略同一平面に形成されてなり、屋内外の境界部分から屋内側に、出入口の下端に沿って溝が形成されている。この構成によって、側溝を設けない玄関部においても、屋内側の溝で雨水の浸入を阻止できる。
【０００９】
さらに、本発明の第３の建物出入口構造は、建物出入口構造の基礎となるコンクリート製基礎が、上方を開口した断面コ字状部分を有しており、該コ字状を構成する一方の立ち上がり部を出入口の外壁を支持する出入口側側壁、他方の立ち上がり部を屋内側で構造材を支持する屋内側側壁とし、屋内側側壁の天端面は、構造材を載置した状態で床面が地面と略同一平面を有しており、出入口側側壁の天端面は、出入口の底面と面する部分を屋内側側壁の天端面と略等しい高さとし、他の部分は屋内側側壁の天端面よりも高く形成している。この構成によって、構造材を埋没させることなく建物内外を同一平面に維持でき、信頼性を高めることができる。
【００１０】
さらにまた、本発明の第４の建物出入口構造は、前記基礎の屋内側側壁の天端面は、構造材を支持した状態で天端面が略面一となるよう、該天端面と屋内側側壁の外側面との交差部分に段差部を形成し、段差部にて構造材を支持した状態で天端面及び外側面が略同一面となるよう構成している。この構成によって、基礎で構造材を保護しつつ確実に支持でき、構造材の信頼性を高めることができる。
【００１１】
さらにまた、本発明の第５の建物出入口構造は、デッキ部分の屋内床面と屋外地面とが略同一平面に形成されており、前記側溝が屋外側に形成され、少なくともデッキ部分に設けられる出入口の下端に、前記側溝の開口部分を閉塞して屋内床面と屋外地面とを同一平面に橋渡しする天板を形成している。この構成によって、雨水の浸入を防止する側溝を形成しつつ、屋内外の同一平面を維持して出入りを容易にしている。
【００１２】
さらにまた、本発明の第６の建物出入口構造は、前記天板は、建物に面する側の下面から前記側溝の底面に支持体を延長しており、前記天板の端縁と建物との間に隙間を形成している。この構成によって、天板の端面が建物側に当接して破損する事態を回避できる。
【発明の効果】
【００１３】
本発明の建物出入口構造によれば、建物の構造、耐性、機能を維持しつつ建物の出入口の床面と屋外の地面との段差を無くして出入りを容易にし、建物出入口におけるバリアフリー化が実現できる。
【発明を実施するための最良の形態】
【００１４】
以下、本発明の実施の形態を図面に基づいて説明する。ただし、以下に示す実施の形態は、本発明の技術思想を具体化するための建物出入口構造を例示するものであって、本発明は建物出入口構造を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。なお本明細書において建物出入口とは、玄関や勝手口等のドア、庭やポーチ、デッキ等に通じる引き戸などを含む。
【００１５】
図５及び図６に、本発明の一実施の形態に係る建物出入口構造を示す。図５は建物出入口構造の斜視図であり、図６はその断面図をそれぞれ示している。この図に示す建物出入口構造は、コンクリート製の基礎１を構築し、その上に盛土２をして防湿フィルムや断熱材、目つぶし砂利等の打ち継ぎ部分を介して上面にコンクリート製の土間３を形成している。また基礎１の側壁の内、屋外側の天端面から芯材４などを介して外壁５を形成し、また出入口部分を開口してドア６を開閉自在に設けている。外壁５には木材やコンクリート等が利用できる。さらに屋内には、玄関のコンクリート土間３とほぼ同一平面に床材７を形成している。これによって、屋外から玄関、居間等の居室に至るまで、ほぼ同一平面で繋げられているため、段差や障害が排除された状態となり、杖等を使用する高齢者や車椅子等を使用する障害者は出入りの障害が少なくなり、出入口におけるバリヤフリー構造が実現される。
【００１６】
図７及び図８に、上記の建物出入口構造の断面図を示す。図７は、玄関や勝手口等の出入口の断面構造を、従来の構造と本実施の形態に係る構造とを対比した断面図、図８は、外壁周りの断面構造について、同じく従来の構造と本実施の形態に係る構造とを対比した断面図を、それぞれ示している。従来の建物の床仕上げの高さ関係は、雨水の浸入防止と構造材の腐食防止、床下換気の機能維持等の観点から、図７（ａ）に示すようにコンクリート基礎１の天端面より玄関床仕上は低く、居室の床仕上は、コンクリート基礎１天端面よりも高く仕上げるのが一般的であった。また従来の居住建物の居室の床は、図８（ａ）に示すように地面より５０〜６０ｃｍ高く形成されていた。
【００１７】
これに対して本発明は、図７（ｂ）、（ｃ）に示すように、床面より下の構造を地面に埋設するように施工する。図７において図７（ｂ）は出入口の断面図であり、図７（ｃ）は出入口付近の外壁部分の断面図をそれぞれ示している。これらの図に示す出入口構造は、床材７の下方に、床材７を支持するコンクリート製の基礎１で床下空間８を形成している。基礎１は、平行な立ち上がり部を立ち上げて断面コ字状に形成した部分を有している。基礎１のコ字状成形部分は、芯材４や土台９などの構造材を保持する天端面を底板から突き上げるように一体的に突出して延長された平行な立ち上がり部を構成する側壁を備えている。この側壁は、図７（ｂ）及び（ｃ）に示すように、屋内側（図において右側）側壁１１の天端面を床面とほぼ同一平面としている。また図７（ｂ）及び図５の斜視図に示すように、ドア６の部分に位置する出入口側側壁１２では天端面を床面よりも高く形成している。この状態を図９、図１０に基づいて詳述する。ここで、図９は出入口の外壁部分における断面図、図１０は出入口のドア６部分における断面図をそれぞれ示している。これらの図に示すように、出入口部分では同一平面として障害物を排除する必要から、図１０に示すように基礎１の側壁１２を床面までに止める。この部分では、ドア６が配置されるため外壁を設ける必要はなく、このため外壁の一部や外壁の芯材が埋没されることもない。一方、外壁部分についてはこのような配慮は不要であり、寧ろ外壁５を保護する観点から基礎１の側壁をさらに延長して、床面より高く突出させる。これにより、床面を低くしても外壁５の下端が地面に埋没されず、木製の外壁材を使用した場合に土中で腐食し強度が低下する事態を回避できる。
（段差部１３）
【００１８】
また、基礎１の屋内側（図において右側）天端面は、上述の通り床面とほぼ同一平面とする一方で、図６の断面図に示すように、構造材である土台９を保持するためのＬ字状の段差部１３を形成している。段差部１３は、土台９を２面で支持するように、コ字状開口部の外側で天端面に面して形成される。段差部１３に保持される土台９は、床材７の背面を支持するための角材である。土台９は、基礎１の段差部１３に配置された状態で床面と天端面がほぼ同一平面となる大きさに設計される。同様に、土台９が基礎１の段差部１３に配置された状態で、コ字状開口部の外側でほぼ同一平面となる大きさに設計することで、土台９を確実に基礎１で保持できる。土台９は、パッキンなどの断熱材１４を敷き込み段差部１３に固定される。このように基礎１に段差面を形成して２面で土台９を保持する構造は、土台９を基礎１で保護して強度や安定性を高めることができる。
（出入口溝１４）
【００１９】
また、図５及び図６に示すように、外壁５の出入口形成部分において、ドア６の内側に出入口溝１４を形成している。出入口溝１４は、屋内側のコンクリート土間３に形成されている。これによって、後述する側溝１５を設けない玄関部においても、屋内側の出入口溝１４で雨水の浸入を阻止できる。なお出入口溝１４は、出入口の部分にのみ形成すれば足り、外壁部分には形成する必要はない。ただ、外壁部分に出入口溝を形成することも差し支えない。
（側溝１５）
【００２０】
建物の周囲には、側溝１５が形成される。側溝１５は図８（ｂ）に示すように、上面を開口し、建物の床面よりも低い底面に水を集めて雨水が建物屋内に浸入するのを阻止する。側溝１５は、コンクリートで底面と側壁が一体に形成され、雨水の浸入を防止すると共に、構造材や外壁５を保護する。
（床下空間８）
【００２１】
また、基礎１によって床下に区画された床下空間８は、側溝１５と連通されている。床下空間８を側溝１５を介して外部と連通することで、床下空間８を地中に埋没させても、床下空間８への通気性を確保し、湿度を抑えて快適な住環境を提供できる。図８（ｂ）に示す例では、側溝１５の側壁の内、床下空間８に面する側に連通孔１６を形成している。連通孔１６は、側溝１５の底面よりも高い位置に開口する。これによって、側溝１５の底面が床下空間８の底面より高くても、側溝１５に貯まった水が床下空間８に流入するのを防止しつつ、通気性を確保できる。
【００２２】
なお、床下空間８を地面に埋没するためには、地面を掘り起こす必要があるが、時間と手間がかかるため、実際の施工では施工後に屋外の地面に盛土することにより、相対的に床下構造を地面に埋設させて床面と地面とをほぼ面一とすることがコスト面などの観点から好ましい。また盛土によって急激な傾斜が形成されないよう、盛土の周囲からなだらかに形成することがより好ましい。
（天板１７）
【００２３】
また側溝１５の開口部は、出入口に面した部分に天板１７を設けている。側溝１５に天板１７を設ける一例を図１１に示す。この図に示すように天板１７で屋外とデッキ部分の出入口とを橋渡しし、屋外内を同一平面で連続して繋ぐことにより、出入りの際に側溝１５をまたぐ必要なくスムーズにかつ安全に出入りが可能となる。この天板１７はデッキ状に構成され、簀の子状としたり、水抜き穴やスリットを形成することもでき、これによって天板上面に水がたまって滑りやすくなる事態を回避でき、安全性を高めることができる。また天板上面に、滑り止めのための凹凸などを形成してもよい。
【００２４】
天板１７は、側溝１５と別部材として蓋状に形成し、側溝１５の開口部を部分的に閉塞する。ただ、別部材とする構成に限られず、側溝等と一体に成形することもできる。いずれの場合も、天板１７の端面と建物との間に隙間１８を形成している。いいかえると、天板１７は建物側の外壁等で支承されない。これによって、天板１７の端面が直接建物に当接して建物に負荷を与えたり破損する事態を回避できる。また天板１７上面に溜まった水が床面に伝って屋内に浸入することも防止される。隙間１８は、ここから物が側溝１５に落下しないよう、狭くすることが好ましい。
【００２５】
隙間１８を設ける構造とするため、図１１に示す例では、天板１７先端（図１１において右側端部）の下面から、側溝１５の底面に向かって延長された支持体１９を形成している。支持体１９は板状に構成されたものの他、複数の柱状に離間して形成することもできる。また天板１７の後端（図１１において左側端部）は、側溝１５上面に形成された側溝段差部２０で支承される。これにより、天板１７は先端を建物側に接触させることなく自立できる。また、図１１の例では支持体１９を一方の端部にのみ設けているが、両方の端部に設けることもでき、この場合は側溝１５上面に側溝段差部などを設ける必要がない。
【００２６】
これによって側溝１５の開口部は天板１７で閉塞されるので、この上を踏んでデッキ部分の出入口から屋内外を安心して出入りすることができる。また天板１７は、側溝１５のすべての経路に設ける必要はなく、少なくともデッキ部分の出入口に面した側溝１５のみを閉塞するように配置すればよい。言い換えると、外壁５に面した部分では、側溝１５を開放状態とすることで、効率よく雨水を取り込んで屋内への浸水を効率よく阻止できる。
（基礎構造）
【００２７】
以上の建物出入口構造を採用した建物の基礎構造の一例の斜視図を、図１３に示す。また図１３の基礎構造に床材７を張った状態を図１４に示す。さらに対比のため、従来の施工方式による建物の構成も図１２に示す。これらの図を対比すると明らかなとおり、従来は床面を地面よりも高く構成する必要から、玄関前のポーチ部分２１等で段差が生じ、さらに玄関の土間３と床面との間にも段差が形成されていた。これに対して、図１３に示す本発明の実施の形態に係る構成では、ポーチ部分２１が地面に埋設する構成となり、また床下空間８が土中に埋設される形となって床面が玄関の土間３とほぼ同じ高さで連続する。これによって、図１４に矢印で示すように屋外から玄関、屋内の居室に至る経路がすべて同一平面で連続され、またデッキ部分においても同様に矢印で示すように、屋内外が同一平面とされるので、出入りの度に段差を上り下りすることなくスムーズな出入りが実現され、高齢者や身障者であっても極めて快適な環境が提供される。
【００２８】
また、基礎１の立ち上がり部は、出入口側側壁１２のみを床面よりも高くする構成に限られず、出入口側側壁１２と略直交する面においても床面よりも高くした立ち上がり部を形成できる。図１３及び図１４に示す例では、玄関内の通路の側面に、コンクリート製の基礎１から延長された通路側側壁１０を立ち上げている。通路側側壁１０は、玄関内の側壁の内側に形成することで、玄関側壁の壁材や芯体等の構造材を保護する。これによって玄関内に浸水することがあっても、通路側側壁１０で構造材を保護して腐食等を防止できる。また通路側側壁１０は、玄関側壁部分に形成されるのみで、通路の進行方向を妨げないので歩行の障害となることもない。このように、基礎１の立ち上がり部を、歩行を妨げない部分で床面よりも高くすることで、段差を無くしてバリヤフリー化を実現しつつ構造材を保護して建物構造の耐性を維持できる。
【００２９】
また、図１３に示すように側溝１５の隅部には雨水会所枡２２を形成できる。雨水会所枡２２同士は、互いに管などで連結される。なお、床下空間８が従来よりも低くなり、また通気性も従来よりも低下することから、床下空間８に水が溜まるおそれが増し、また溜まった場合には蒸発量が少なく排出され難くなる。そこで溜まった水を除去するための釜場２３を形成することが好ましい。図１３の例では、矢印で示すように基礎１の底面に若干の勾配を設け、勾配の下りの集水場に釜場２３を形成している。釜場２３は、基礎１に凹部を形成し水が溜まるようにしたものであり、水が溜まるとここに排水ポンプを設置して屋外に水を排出する。
【産業上の利用可能性】
【００３０】
本発明の建物出入口構造は、居住建物の玄関や勝手口の床構造に好適に適用できる。
【図面の簡単な説明】
【００３１】
【図１】従来の建物構造を示す断面図である。
【図２】従来の建物出入口ステップ構造としてステップ台とスロープ台との組み合わせを示す断面図である。
【図３】従来の建物出入口ステップ構造としてステップ台と補助台との組み合わせを示す断面図である。
【図４】従来の建物出入口ステップ構造としてステップ台と昇降装置との組み合わせを示す断面図である。
【図５】本発明の一実施の形態に係る建物出入口構造を示す斜視図である。
【図６】本発明の一実施の形態に係る建物出入口構造を示す断面図である。
【図７】建物出入口構造を従来の構造と対比した断面図である。
【図８】外壁周りの構造を従来の構造と対比した断面図である。
【図９】出入口の外壁部分における断面図である。
【図１０】出入口のドア部分における断面図である。
【図１１】側溝に天板を設ける一例を示す断面図である。
【図１２】従来の施工方式による建物の基礎構造の一例を示す斜視図である。
【図１３】建物出入口構造を採用した建物の基礎構造の一例を示す斜視図である。
【図１４】図１３の土台構造に床材を張った状態を示す斜視図である。
【符号の説明】
【００３２】
１…基礎；２…盛土；３…土間；４…芯材；５…外壁；６…ドア
７…床材；８…床下空間；９…土台
１０…通路側側壁；１１…屋内側側壁；１２…出入口側側壁；１３…段差部
１４…出入口溝；１５…側溝；１６…連通孔；１７…天板；１８…隙間；１９…支持体
２０…側溝段差部；２１…ポーチ部分；２２…雨水会所枡；２３…釜場
３０…出入口の段面；３１…ステップ台
３２…スロープ台；３３…補助ステップ台；３４…昇降装置
【図１】
2006169899.tif 000003
【図２】
2006169899.tif 000004
【図３】
2006169899.tif 000005
【図４】
2006169899.tif 000006
【図５】
2006169899.tif 000007
【図６】
2006169899.tif 000008
【図７】
2006169899.tif 000009
【図８】
2006169899.tif 000010
【図９】
2006169899.tif 000011
【図１０】
2006169899.tif 000012
【図１１】
2006169899.tif 000013
【図１２】
2006169899.tif 000014
【図１３】
2006169899.tif 000015
【図１４】
2006169899.tif 000016